(57)【特許請求の範囲】
【請求項１】
電源投入後、またはリセット後の任意の放送局の放送受信中における受信ガードインターバル期間中において他の受信放送局を自動的に探索して受信放送局の周波数テーブルを作成し、記憶させる手段を備えたことを特徴とするデジタル放送受信機。
【請求項２】
電源投入後、またはリセット後の任意の放送局の放送受信中におけるＯＦＤＭシンボル期間中の終端ガードインターバル期間部分と引き続く次ＯＦＤＭシンボル期間中のガードインターバル期間とにおいて他の受信放送局を自動的に探索して受信放送局の周波数テーブルを作成し、記憶させる手段を備えたことを特徴とするデジタル放送受信機。
【請求項３】
請求項１、または２記載のデジタル放送受信機において、受信放送局探索中の期間ＡＧＣ回路を構成する可変利得増幅器の利得を受信放送局探索開始直前の利得に固定する手段を備えたことを特徴とするデジタル放送受信機。
【請求項４】
請求項１、または２記載のデジタル放送受信機において、受信放送局探索期間中、同期検出処理を停止させる手段を備えたことを特徴とするデジタル放送受信機。
【発明の詳細な説明】
【０００１】
【発明の属する技術分野】
本発明はデジタル放送受信機に関する。
【０００２】
【従来の技術】
従来のデジタル放送受信機において、図８のフローチャートに示すように、デジタル放送受信機の初期使用時、またはデジタル放送受信機のリセットされたとき（ステップＳ３１）、現在受信することができる放送局を全て捜索して放送局の周波数テーブルがプリセットメモリなどに記憶されているか否かがチェックされて（ステップＳ３２）、記憶されていないと判別されたときには、現在受信することができる放送局を全て捜索して、探索により受信することができる放送局の周波数を周波数テーブルの形でプリセットメモリなどに逐一記憶させて行き（ステップＳ３３）、プリセットキーを押して選局を行って受信を行っている（ステップＳ３４）。
【０００３】
ステップＳ３２において、既に現在受信することができる放送局の周波数テーブルがプリセットメモリなどに記憶されていると判別されたときは、メニュー画面を操作して、取扱説明書などから調べた現在の受信地域番号を指定し（ステップＳ３６）、プリセットキーを押して選局を行って受信を行っている（ステップＳ３４）。
【０００４】
また、ステップＳ３１において、初期使用時でないとき、またはリセットしたときでないときは、直接プリセットキーを押すことによって選局を行って受信を行っている。
【０００５】
また、車載デジタル放送受信機等において、受信位置が移動することによって発生する受信状況の悪化を改善する目的で、図９に示すように、デジタル放送受信チューナ３１とデジタル放送受信チューナ３２とを使用したダイバーシティデジタル放送受信機を用いる場合は、例えば、図１０のフローチャートに示すように、チューナ３１によりデジタル放送を受信している間、チューナ３２によって他の放送局が探索され（ステップＳ４１）、この探索によって受信可能な放送局の周波数テーブルが作成され（ステップＳ４２）、ステップＳ４２により作成された周波数テーブルが既に作成されている周波数テーブルから変化しているか否かがチェックされる（ステップＳ４３）。
【０００６】
ステップＳ４３において周波数テーブルが変化したと判別されたときはチューナ３１による受信状態が変化したか否かがチェックされ（ステップＳ４４）、受信状態が変化したと判別されたとき、新しい周波数テーブルに格納されている周波数の放送局をチューナ３２にて受信する（ステップＳ４５）ようにすることも可能である。
【０００７】
【発明が解決しようとする課題】
しかしながら、上記した従来の方法によるときは、例えばヨーロッパで行われているデジタル放送の場合、現行のアナログ放送と違い放送方式の多様な組み合わせが存在することからその識別に時間がかかって、放送局の探索に相当の時間を必要とするという問題点がある。
【０００８】
また、デジタル放送であるためアナログ放送の場合のように速度で放送局の探索が行えず時間がかかるという問題点がある。
【０００９】
さらに、初期使用時使用者が地域選択を行うためには、取扱説明書などから地域の番号を調べその入力送信モードに入る必要があり、メニュー選択動作の一つの操作としてかかる動作を行うために、電源を入れてから地域選択を終了するまでには時間がかかるという問題があった。
【００１０】
さらにまた、チューナを複数使用することが非効率であるという問題もある。
【００１１】
本発明は、１つのチューナで画像および受信音を実質的に途切れさせることなく、他周波数の放送局受信可否などの情報を得ることができるデジタル放送受信機を提供することを目的とする。
【００１２】
【課題を解決するための手段】
本発明にかかるデジタル放送受信機は、電源投入後、またはリセット後の任意の放送局の放送受信中における受信ガードインターバル期間中において他の受信放送局を自動的に探索して受信放送局の周波数テーブルを作成し、記憶させる手段を備えたことを特徴とする。
【００１３】
本発明にかかるデジタル放送受信機は、電源投入後、またはリセット後の任意の放送局の放送受信中におけるＯＦＤＭシンボル期間中の終端ガードインターバル期間部分と引き続く次ＯＦＤＭシンボル期間中のガードインターバル期間とにおいて他の受信放送局を自動的に探索して受信放送局の周波数テーブルを作成し、記憶させる手段を備えたことを特徴とする。
【００１４】
本発明にかかるデジタル放送受信機によれば、電源投入後、またはリセット後の任意の放送局の放送受信中における、受信ガードインターバル期間中、または、ＯＦＤＭシンボル期間中の終端ガードインターバル期間部分と引き続く次ＯＦＤＭシンボル期間中のガードインターバル期間とにおいて、他の受信放送局が自動的に探索されて受信放送局の周波数テーブルが作成されて、記憶させられるために、１つのチューナで受信音を実質的に途切れさせることなく、他周波数の放送局受信可否などの情報を得ることができる。
【００１５】
また、デジタル放送はアナログ放送と異なり、あるタイミングで切り替えないと音声が切り替えに使用した時間以上に途切れてしまうが、本発明のデジタル放送受信機では、ガードインターバル期間に探索が行われるためにこのようなことはなく、出力音声が途切れることはない。
【００１６】
本発明のデジタル放送受信機において、受信放送局探索中の期間ＡＧＣ回路を構成する可変利得増幅器の利得を受信放送局探索開始直前の利得に固定する手段を備えたことを特徴とする。
【００１７】
本発明のデジタル放送受信機によれば、受信放送局探索中の期間ＡＧＣ回路を構成する可変利得増幅器の利得が受信放送局探索開始直前の利得に固定されるために、探索された放送局の受信レベルによってＡＧＣ回路による利得が変動されて、探索された放送局の受信レベルが低いときにおいて、ＡＧＣ回路のために受信可能と判別されることはない。
【００１８】
本発明のデジタル放送受信機において、受信放送局探索期間中、同期検出処理を停止させる手段を備えたことを特徴とする。
【００１９】
本発明のデジタル放送受信機によれば、受信放送局探索期間中同期検出処理が停止させられるために、他放送局の探索中、ＯＦＤＭシンボル期間中の終端ガードインターバル期間部分と引き続く次ＯＦＤＭシンボル期間中のガードインターバル期間との期間外の他情報のデコードが停止されることはない。
【００２０】
【発明の実施の形態】
以下、本発明にかかるデジタル放送受信機を実施の一形態によって説明する。
【００２１】
図１は本発明の実施の一形態にかかるデジタル放送受信機の概略構成を示すブロック図であり、現在のヨーロッパにおける地上波ＤＶＢ(Digital  Video  Broadcasting)受信機の場合を例示している。
【００２２】
本発明の実施の一形態にかかるデジタル放送受信機１の構成説明の前に、ＤＶＢにおける伝送フレームについて説明する。
【００２３】
ＤＶＢではＯＦＤＭ変調が用いられており、ＤＶＢの送信方式は図５に示すように、送信モードとして２ｋおよび８ｋの２送信モード、ガードインターバルとして有効シンボル長の１／４、１／８、１／１６、１／３２の４種類、符号化率として１／２、２／３、３／４、５／６、７／８の５種類、変調方式としてＱＰＳＫ、１６−ＱＡＭ、６４−ＱＡＭの３種類、多重化としてなし、あり（１、２、４）の４種類、帯域幅８、７、６ＭＨｚの３種類がある。
【００２４】
ガードインターバルは、図６（ａ）に示すように、１ＯＦＤＭシンボルはガードインターバル期間（ガードインターバル＝有効シンボル期間長／（４〜３２））と有効シンボル期間とからなり、有効シンボル期間の後ろ部分（有効シンボル期間の１／４、１／８、１／１６、または１／３２）がガードインターバルとして有効シンボルの前に複写されている。
【００２５】
そこで、デジタル放送受信機１では、ガードインターバル期間中において他チャンネルの探索処理を行う。しかし図５に示す可能な組み合わせによっては、ガードインターバル期間は短く、処理が遅い場合は探索処理ができない場合がある。例えば、送信モード８ｋ、ガードインターバル期間が有効シンボル期間の１／８であれば１１２μｓ、送信モード２ｋ、ガードインターバル期間が有効シンボル期間の１／３２であれば７μｓしかない。このように探索期間が短いときは、２ＯＦＤＭシンボル期間の２ガードインターバル期間を用いる。
【００２６】
すなわち、連続する２ＯＦＤＭを取れば図６（ｂ）に示すように有効シンボルの後ガードインターバルとして有効シンボルの前に複写された部分と引き続くガードインターバルによって２ＯＦＤＭシンボル期間において２ガードインターバル期間長が得られ、この期間（図６（ｂ）において太い矢印で示した部分）において他チャンネルの探索処理を行い、該期間の前後における残り有効シンボル期間と前後のガードインターバル期間のデータとを復調データとする。
【００２７】
また、伝送フレームは図７（ａ）に示すように、送信モード８ｋ、ガードインターバル１／８、符号化率３／４、１６ＱＡＭ、帯域幅８ＭＨｚのときは、フレーム期間長Ｔｆ＝６８．５４４ｍｓ、ＯＦＤＭシンボル長Ｔｓ（＝Ｔｕ＋Δ）＝１．００８ｍｓ、有効シンボル長Ｔｕ＝０．８９６ｍｓ、ガードインターバル長Δ＝０．１１２ｍｓ、１フレーム＝６８０シンボル、図７（ｂ）に示すようにスーパーフレーム＝４フレームである。
【００２８】
また、１ＯＦＤＭフレームには参照信号（reference  signal）のＣＰ（continuous  pilot）  ＳＰ（scattered  ｐilot）と呼ばれる二つの信号がある（図７（ｃ）参照）。ＳＰ、ＣＰはいくつかは重複し、端にはＳＰ、またはＣＰが位置し、ＳＰは端のキャリアを除いて等間隔に配置されている。なお、これらには変調はかかっておらず、実数部のみ送られてくる。この二つの信号は入力レベルはデータレベルの１６／９であって、他のデータが入っている信号より送信出力が大きいため、識別することが可能である。
【００２９】
ここで、ＣＰは送られてくる位置がある計算式にしたがっていて固定である。このためメモリーに記憶された信号位置と比較を採るなどして、入力信号のタイミングをとる（フレーム同期）。ＳＰも計算式にしたがって分散して配置されているので、これと入力信号のタイミングをとる（周波数同期）。
【００３０】
また、１ＯＦＤＭフレームには、ＴＰＳ（transmission  parameter  signaling）と呼ばれる信号がある。これは、ＣＰと同様固定の位置に配置されていて、データ信号と異なりＤＢＰＳＫ（differential  bi-phase  shift  keying）で送られるが、送信出力レベルはデータ信号と同じである。この情報は合計６８ビットで構成されていて１ＯＦＤＭシンボル当たり１ビット情報があり、２フレームにあたる６８ＯＦＤＭシンボルでようやく一つ情報が得られることになる。ＴＰＳの構成図を図７（ｄ）に示す。また、１ＯＦＤＭシンボルの中に送信モード８ｋであれば６８本、送信モード２ｋでは１７本あり、まったく同じ情報を並列に送っている。
【００３１】
図７（ｄ）に示すようにＴＰＳはＢＣＨ符号のパリティチェックがついている。パリティチェック後、この同期信号をとり、入力信号の変調方式を読みとりデータ信号の復調を行う。
【００３２】
地上波ＤＶＢはこのＴＰＳで得られる情報以外はＭＰＥＧ−ＴＳの中に含まれていて、ＭＰＥＧデコードしないと他の情報は得られない。
【００３３】
図１に戻って、デジタル放送受信機１は、受信信号は可変利得増幅器２および可変利得増幅器２の利得を制御する制御回路３をからなるＡＧＣ回路４に供給されて増幅され、ＡＧＣ回路４の出力は検波器５にて検波される。検波器５の検波出力に基づき、制御のためのマイクロコンピュータ２０からの出力をＤ／Ａ変換器１８にて変換した出力により制御回路３を介して可変利得増幅器２の利得が制御される。
【００３４】
検波器５からの検波出力はミキサ６においてＰＬＬ回路７の出力と周波数混合されて中間周波信号に変換され、中間周波信号はバンドパスフィルタ８に供給されて帯域制限される。
【００３５】
バンドパスフィル８からの出力は可変利得増幅器９および可変利得増幅器９の利得を制御するパワー検出器１１からなるＡＧＣ回路１２に供給されて増幅のうえ、Ａ／Ｄ変換器１０によってデジタルデータに変換され、パワー検出器１１を介してデマッパ１３に供給されてデマップされる。
【００３６】
デマップされた出力はＦＦＴ回路１４に供給されてＦＦＴ変換されて復調され、ＦＦＴ変換されて復調された信号はデインターリブ回路２１においてデインターリーブされ、デインターリーブされた出力は誤り訂正回路２２において誤り訂正され、誤り訂正された出力はＭＰＥＧデコーダ２３にてデコードされ、ＰＡＬ／ＮＴＳＣデコーダでデコードされてビデオ出力とされ、ＭＰＥＧデコーダ２３のデコード出力中の音声信号はＤ／Ａ変換器２５にて音声信号に変換される。
【００３７】
さらに説明すれば、ＰＬＬ回路７はマイクロコンピュータ２０から出力される分周比情報を受けてミキサ６において周波数混合される周波数に設定され、ミキサ６において受信ＲＦ信号が中間周波信号に変換される。中間周波信号はＡ／Ｄ変換のうえパワー検出器１１に供給されて、適性レベルを保つように可変利得増幅器９にてＡＧＣされる。
【００３８】
可変利得増幅器９からの出力は検波器１５に供給されて検波され、検波器１５からの検波出力はＡ／Ｄ変換器１６にてＡ／Ｄ変換されてマイクロコンピュータ２０に供給され、検波器５からの検波出力もＡ／Ｄ変換器１７によってＡ／Ｄ変換されてマイクロコンピュータ２０に供給され、マイクロコンピュータ２０によって受信している放送の受信電波レベルが認識される。
【００３９】
一方、ＦＦＴ回路１４からの出力はマイクロコンピュータ２０に供給されて、マイクロコンピュータ２０においてＣＰ、ＳＰを検出する同期処理がなされる。同期処理によりＴＰＳの読み込みが行われ、ガードインターバル期間において、または図６（ｂ）に示す実質的２ガードインターバル期間において、ＰＬＬ回路７の分周比が順次変更されて他放送局の探索が行われる。
【００４０】
この探索が行われている期間、パワー検出器１１およびＤ／Ａ変換器１８を介したマイクロコンピュータ２０の出力によって、ＡＧＣ回路４および１２を構成する可変利得増幅器２および９の利得が探索直前の利得に固定される。また、ガードインターバル期間において、または図６（ｂ）に示す実質的２ガードインターバル期間において、他放送局の探索が行われている期間に亘り、同期処理が停止される。
【００４１】
上記のように構成されたデジタル放送受信機１において、ガードインターバル期間内、または図６（ｂ）における実質的２ガードインターバル期間内における作用について図２および図３にしたがって説明する。
【００４２】
デジタル放送受信機１には、予め各地域の受信周波数テーブルの情報、各地域の代表的な周波数（日本でいえばＮＨＫの放送局の周波数）のみの周波数テーブルｚがメモリに格納されている。
【００４３】
デジタル放送受信機１がリセットされると、デフォルトチャンネル放送局の放送受信にアクセスされてデフォルト放送局の放送受信が開始される（ステップＳ１）。ステップＳ１に続いて同期処理により同期が採れたか否かがチェックされ、同期が採れないと判別されると周波数テーブルｚにしたがって次の周波数の放送が探索される（ステップＳ３）。
【００４４】
同期処理については、後記の図４に基づいて説明する。
【００４５】
ステップＳ３において同期が採れたと判別されたときには、復調がなされ映像信号および音声信号が出力される（ステップＳ４）。ステップＳ４に続いて受信した放送局の周波数が格納されている周波数テーブルがメモリから呼び出される（ステップＳ５）。ステップＳ５に続いて、ガードインターバル期間中、または実質２ガードインターバル期間中に、該当する周波数の放送のみを順次探索して該周波数の放送の受信、検波が行われる（ステップＳ６）。
【００４６】
ステップＳ６における検波出力のレベルが閾値以上か否かがチェックされ（ステップＳ７）。ステップＳ７において閾値以上でないと判別されたときはステップＳ６から繰り返される。ステップＳ７において閾値以上であると判別されたときはその放送局の周波数が記憶され（ステップＳ８）、次の周波数の放送受信に移行させられ（ステップＳ９）、ステップＳ６からの探索操作を繰り返してｎ個の放送局の周波数を記憶したとき（ステップＳ１０）、ステップＳ１０によって得た周波数テーブルとメモリ内の周波数テーブルと比較されて該当する周波数テーブルｘが選択される（ステップＳ１１）。
【００４７】
ステップＳ１１に続いて周波数テーブルｘがステップＳ１０によって得た周波数テーブルに更新される（ステップＳ１２）。
【００４８】
ステップＳ１からステップＳ１２の実行によって、リセット時における周波数テーブルｘの変更が行われる。
【００４９】
また、周波数テーブルｘが選択されたのち、ガードインターバル期間中に全ての放送局が探索され、検波され（ステップＳ１４）、既周波数テーブル以外の周波数の放送受信に基づく検波出力か否かがチェックされる（ステップＳ１５）。ステップＳ１５において、既周波数テーブル以外の周波数の放送受信に基づく検波出力でないと判別されたときはステップＳ１４から繰り返して実行される。
【００５０】
ステップＳ１５において、既周波数テーブル以外の周波数の放送受信に基づく検波出力であると判別されると、現周波数テーブルｘの他の周波数テーブルｙにおける放送局の周波数に当てはまるか否かがチェックされる（ステップＳ１６）。
【００５１】
ステップＳ１６のチェックにおいて当てはまらないと判別されると、新しい放送局の周波数が周波数テーブルｘに加えられて、新たに、周波数テーブルｘとされ（ステップＳ１７）、次いでステップＳ１４から繰り返して実行される。
【００５２】
ステップＳ１６のチェックにおいて当てはまると判別されると、ステップＳ１６に続いて、周波数テーブルｘおよび周波数テーブルｙの放送局のみ順次受信し、検波され（ステップＳ１８）、周波数テーブルｙの周波数の放送受信時における検波出力が閾値を超え、かつ周波数テーブルｘの周波数の放送受信時における検波出力が閾値未満かがチェックされる（ステップＳ１９）。
【００５３】
ステップＳ９におけるチェックにおいて、周波数テーブルｙの周波数の放送受信時における検波出力が閾値を超えておらず、かつ周波数テーブルｘの周波数の放送受信時における検波出力が閾値以上のときには、ステップＳ１８から繰り返して実行され、周波数テーブルｙの周波数の放送受信時における検波出力が閾値を超えており、かつ周波数テーブルｘの周波数の放送受信時における検波出力が閾値未満のときには周波数テーブルｙに変更される（ステップＳ２０）。
【００５４】
上記を繰り返して、閾値以上の信号レベルが存在する周波数テーブルが生成されて、この生成された周波数テーブルと予め記録されている各地区の受信周波数テーブルと比較することで、地域の特定が可能になる。
【００５５】
次にステップＳ６およびステップＳ１４について、ヌルシンボル期間中の探索について図３に基づいて説明する。
【００５６】
放送局Ａの放送が受信されている最中にステップＳ６、またはステップＳ１４の実行にはいる（ステップＳ１０１）。
【００５７】
ステップＳ１０１に続いて同期フラグ検出時から（Ｔ１）ｍｓ経過したか否かがチェックされる（ステップＳ１０２）。ここで、０．８９６ｍｓ＜Ｔ１＜Ｔ２＜１．００８ｍｓに選択してある。
【００５８】
ステップＳ１０２において（Ｔ１）ｍｓ経過したと判別されたときは、ＡＧＣが固定、すなわち可変利得増幅器の利得が固定され、同期処理が停止される（ステップＳ１０３）。
【００５９】
ステップＳ１０３においてＡＧＣ回路４および１２による可変利得増幅器２および９の利得が固定されるのは、他の周波数の放送局を探索するときに該放送局の受信レベルによってＡＧＣ回路４および１２による可変利得増幅器２および９の利得が変動させられて、前記他の放送局の受信信号レベルが低いときでも受信可能と判別しないようにするためである。
【００６０】
また、ステップＳ１０３において同期処理が停止されるのは、新しい放送局を探索して受信するため、この新しい放送局の受信信号中における同期処理を停止して、ＯＦＤＭシンボルの復調を行わせないためである。
【００６１】
ステップＳ１０３に続いて、放送局ＡをＮとし（ステップＳ１０４）、続いてＮが最高受信周波数の放送局か否かがチェックされる（ステップＳ１０５）。ステップＳ５においてＮが最高受信周波数の放送局であると判別されたときは、Ｎを最高受信周波数の放送局としてステップＳ１０５が実行される（ステップＳ１０６）。
【００６２】
ステップＳ１０５においてＮが最高受信周波数の放送局でないと判別されたときは放送局が次の放送局（Ｎ＋１）の周波数に合わされて検波が行われ（ステップＳ１０７）、検波出力が予め定めた閾値以上か否かがチェックされる（ステップＳ１０８）。ステップＳ１０８において閾値上と判別されたときは放送局（Ｎ＋１）の周波数が記憶され（ステップＳ１０９）、同期検出時から（Ｔ２）ｍｓ経過したか否かがチェックされる（ステップＳ１１０）。
【００６３】
ステップＳ１１０において、（Ｔ２）ｍｓ経過したと判別されたときは放送局Ａに戻される（ステップＳ１１１）。
【００６４】
ステップＳ１０８において、閾値未満と判別され、かつ同期検出時から（Ｔ２）ｍｓ経過したと判別されたときは（ステップＳ１１２）、ステップＳ１１１が実行される。ステップＳ１０８において、閾値未満と判別され、かつ同期フラグ発生から（Ｔ２）ｍｓ経過していないと判別されたときは、放送局Ｎ＝Ｎ＋１が実行され（ステップＳ１１４）、続いてステップＳ１０５から繰り返して実行される。
【００６５】
ステップＳ１１１に続いて、ＡＧＣの固定処理の解除、すなわち可変利得増幅器の利得の固定が解除され、同期処理の停止が解除され（ステップＳ１１５）、ステップＳ１１５に続いて同期フラグが検出されるのを待って（ステップＳ１１６）、放送局Ａの放送受信に戻される。
【００６６】
上記のように、使用者がはじめてデジタル放送受信機１に電源を入れた後、またはリセットした後、まずデフォルトの放送局の周波数にアクセスされ、この放送局が存在しなければ各地域の代表的なチャンネルのみの周波数テーブルにしたがって探索が行われる。
【００６７】
この作業で受信できた初めの放送局の放送が受信され、復調されて、映像出力、音声出力がされる。この後、他の放送局の探索が行われる。このとき効率をあげるために、はじめに受信したチャンネルが登録されている一つ以上の周波数テーブルチャンネルのみシークするようにする。この作業を行っている間、映像、音声は実質的に途切れていない。
【００６８】
次に、同期処理について図４に基づいて説明する。
【００６９】
同期処理にはいると、帯域幅、送信モード、ガードインターバルがデフォルトの値に設定される。まず帯域幅がデフォルトの値８ＭＨｚに設定されて（ステップＳ２０１）、送信モードが２ｋ送信モードに設定され（ステップＳ２０２）、ガードインターバルが１／３２に設定され（ステップＳ２０３）、ＣＰおよびＳＰが検出されたか否かがチェックされる（ステップＳ２０４）。
【００７０】
ステップＳ２０４においてＣＰおよびＳＰが検出されたと判別されると、同期が採れた状態であり、ＴＰＳが読み込まれて（ステップＳ２０５）、続いて復調処理がなされる（ステップＳ２０６）。
【００７１】
ステップＳ２０４において、ＣＰおよびＳＰが検出されたと判別されないときはステップＳ２０４に続いてガードインターバルが１／４か否かがチェックされ（ステップＳ２０７）、１／４でないと判別されたときは続いてガードインターバル期間長が２倍に設定されて（ステップＳ２０８）、ステップＳ２０４から再び実行される。したがって、この設定変更によってＣＰ及びＳＰが検出されるとステップＳ２０５が実行されて同期が採れたと判別される。
【００７２】
ステップＳ２０７においてガードインターバルが１／４であると判別されたときは、ステップＳ２０７に続いて送信モードが８ｋモードか否かがチェックされ（ステップＳ２０９）、送信モードが８ｋでないと判別されると送信モードが８ｋモードに設定されて（ステップＳ２１０）、ステップＳ２０３から再び実行される。この実行によってＣＰ及びＳＰが検出されるとステップＳ２０５が実行されて同期が採れたと判別される。
【００７３】
ステップＳ２０９におい送信モードが８ｋモードであると判別されると、ステップＳ２０９に続いて帯域幅が６ＭＨｚか否かがチェックされて（ステップＳ２１１）、帯域幅が６ＭＨｚでないと判別されると帯域幅が１ＭＨｚ減算されて（ステップＳ２１２）、ステップＳ２０２から再び実行される。この実行によってＣＰおよびＳＰが検出されるとステップＳ２０５が実行されて同期が採れたと判別される。
【００７４】
ステップＳ２１１において帯域幅が６ＭＨｚであると判別されると、ステップＳ２１１に続いてステップＳ２０１から再び実行される。この実行によってＣＰおよびＳＰが検出されるとステップＳ２０５が実行されて同期が採れたと判別される。
【００７５】
上記ように各組み合わせを順次変更してＣＰおよびＳＰの検出されるまで行って同期が判定されて、他放送局の探索のルーチンが続けられる。
【００７６】
また、車載デジタル放送受信機などで位置が移動する場合、登録された周波数テーブルに格納されている周波数の放送局の受信ができないなど、異なる状況が発生することがある。このような状況が発生する可能性があるため、一度周波数テーブルが確定された後、すべての放送局に対し検波動作を行うようにする。このように行えば今まで受信できなかった放送局の検波出力レベルが上昇し、逆に受信可能であった放送局の検波出力レベルが下がってきたことなどが認識できて、その変化した周波数テーブルに自動的に変更することが可能になる。
【００７７】
【発明の効果】
以上説明したように本発明にかかるデジタル放送受信機によれば、電源投入後、またはリセット後の任意の放送局の放送受信中における受信ガードインターバル期間中において他の受信放送局を自動的に探索して放送周波数テーブルを作成し、記憶するようにしたため、映像信号、出力音声を実質的に途切れさせることなく他の放送局に対する周波数テーブルを得ることができる。
【図面の簡単な説明】
【図１】本発明の実施の一形態にかかるデジタル放送受信機の概略構成を示すブロック図である。
【図２】本発明の実施の一形態にかかるデジタル放送受信機の作用の説明に供するフローチャートである。
【図３】本発明の実施の一形態にかかるデジタル放送受信機の作用の説明に供するフローチャートである。
【図４】本発明の実施の一形態にかかるデジタル放送受信機の作用の説明に供するフローチャートである。
【図５】ＤＶＢの伝送信号の説明に供する説明図である。
【図６】ＤＶＢの伝送信号の説明に供する説明図である。
【図７】ＤＶＢの伝送信号の説明に供する説明図である。
【図８】従来のデジタル放送受信機における他放送局の探索作用の説明に供するフローチャートである。
【図９】従来の２チューナデジタル放送受信機の構成を示す概略構成を示すブロック図である。
【図１０】従来の２チューナデジタル放送受信機における他放送局の探索作用の説明に供するフローチャートである。
【符号の説明】
２および９  可変利得増幅器
４および１２  ＡＧＣ回路
５および１５  検波器
６  ミキサ
１４  ＦＦＴ回路
２０  マイクロコンピュータ
【図１】
0003798654.tif 000002
【図２】
0003798654.tif 000003
【図３】
0003798654.tif 000004
【図４】
0003798654.tif 000005
【図５】
0003798654.tif 000006
【図６】
0003798654.tif 000007
【図７】
0003798654.tif 000008
【図８】
0003798654.tif 000009
【図９】
0003798654.tif 000010
【図１０】
0003798654.tif 000011